(57)【特許請求の範囲】
【請求項１】
矩形の開口部が形成された壁体に取付けられる防水透湿シートにおいて、
前記壁体に取付けられるシート本体と、このシート本体に形成され、前記壁体の開口部とほぼ同じ大きさでかつ該開口部を露出させる矩形のシート開口部とを備え、
前記シート本体には、前記シート開口部の上縁の二つの角部から延びて、シート開口部の上縁より上側のシート部分をめくり上げ可能とする切込みが形成されていることを特徴とする防水透湿シート。
【請求項２】
請求項１記載の防水透湿シートにおいて、
前記切込みは、前記角部から上方向に延びる第一切込みと、この第一切込みの端部から横方向に延びる第二切込みと、この第二切込みの端部から上方向に延びる第三切込みとを備えていることを特徴とする防水透湿シート。
【請求項３】
請求項１または２記載の防水透湿シートにおいて、
前記シート本体には、複数のシート開口部が形成されており、各シート開口部に前記切込みが形成されていることを特徴とする防水透湿シート。
【請求項４】
請求項１〜３のいずれかに記載の防水透湿シートを矩形の開口部が形成された壁体に取付ける防水透湿シートの取付け方法であって、
前記防水透湿シートを、この防水透湿シートのシート開口部を前記壁体の開口部に合わせたうえで、該壁体の表面に取付け、
次に，前記シート開口部の上縁より上側のシート部分をめくり上げたうえで、サッシ枠を壁体の開口部に取付け、
次に，前記シート部分を前記サッシ枠の上枠に被せて、該上枠に貼着することを特徴とする防水透湿シートの取付け方法。
【請求項５】
請求項４記載の防水透湿シートの取付け方法において、
前記シート開口部の上縁より上側のシート部分をめくり上げたうえで、サッシ枠を壁体の開口部に取付けた後、前記サッシ枠の少なくとも上枠と前記壁体の表面とに亘って、防水テープを貼着し、
次に、前記シート部分を前記サッシ枠の上枠に前記防水テープ上から被せて、防水テープを介して該上枠に貼着することを特徴とする防水透湿シートの取付け方法。
【発明の詳細な説明】
【０００１】
【発明の属する技術分野】
本発明は、壁パネル等の壁体の表面に取付けられる防水透湿シートおよび防水透湿シートの取付け方法に関するものである。
【０００２】
【背景の技術】
例えば、特開平９−９６１６７号公報に記載されているように、壁パネル等の壁体に外壁材となるサイディング等を取付ける場合、前記壁体の表面に予め防水透湿シートを取付けて、壁体表面に防水処理を施している。前記壁体にサッシ枠等を取付けるための開口部が形成されている場合、この開口部を外側に露出させるために、前記防水透湿シートには、矩形状のシート開口部が形成されている。このような防水透湿シートを壁体に取付ける場合、そのシート開口部を壁体の開口部に合わせたうえで、該防水透湿シートを壁体の表面に接着剤やステープル等によって貼り付けている。そして、壁体表面に防水透湿シートを貼り付けた後、該防水透湿シートに、そのシート開口部に沿ってサッシ枠を配置したうえで、該サッシ枠を壁体の開口部に固定し、さらに、サッシ枠の外周縁部と防水透湿シートとに亘って防水テープを貼着している。
【０００３】
【発明が解決しようとする課題】
ところで、防水透湿シートを壁体に取付ける際において、防水透湿シートは歪むのでそのシート開口部と壁体の開口部同士を合わせるのが困難であり、防水透湿シート自体に若干の歪みがあった場合や、防水透湿シートを取付ける際に、若干歪んで壁体に取付けた場合において、シート開口部を壁体の開口部に合わせると、シート開口部の角部に歪みが生じて、ここから防水透湿シートに皺が発生する場合があり、この皺を補修するのに手間がかかるという問題があった。
【０００４】
本発明は上記事情に鑑みてなされたもので、シート開口部が形成された防水透湿シートを、開口部が形成された壁体に取付ける際における、防水透湿シートへの皺の発生を防止することができる防水透湿シートおよび防水透湿シートの取付け方法を提供することを目的としている。
【０００５】
【課題を解決するための手段】
上記目的を達成するために、請求項１記載の発明は、例えば図１〜図４に示すように、矩形の開口部４が形成された壁体３に取付けられる防水透湿シートＡにおいて、前記壁体３に取付けられるシート本体１と、このシート本体１に形成され、前記壁体３の開口部４とほぼ同じ大きさでかつ該開口部４を露出させる矩形のシート開口部２とを備え、前記シート本体１には、前記シート開口部２の上縁の二つの角部から延びて、シート開口部２の上縁より上側のシート部分１２をめくり上げ可能とする切込み１３が形成されていることを特徴としている。
【０００６】
請求項１の防水透湿シートＡによれば、前記シート本体１には、前記シート開口部２の上縁の二つの角部から延びて、シート開口部２の上縁より上側のシート部分１２をめくり上げ可能とする切込み１３が形成されているので、シート開口部２の左右の縁と、めくり上げ可能なシート部分１２の下縁とが切断されることになり、この結果、前記角部がシート開口部２の左右の縁とめくり上げ可能なシート部分１２の下縁とによって拘束されることがなくなる。したがって、シート開口部２を壁体３の開口部４に合わせるようにして、防水透湿シートＡを壁体３の表面に取付ける際において、シート開口部２の上縁の角部に歪みが生じることがないので、ここから防水透湿シートＡに皺が発生するのを防止できる。
【０００７】
請求項２記載の発明は請求項１記載の防水透湿シートＡにおいて、前記切込み１３は、前記角部から上方向に延びる第一切込み７と、この第一切込み７の端部から横方向に延びる第二切込み８と、この第二切込み８の端部から上方向に延びる第三切込み９とを備えていることを特徴としている。
【０００８】
請求項２の防水透湿シートＡによれば、第一切込み７が角部から上方に延び、この第一切込み７の上端から第二切込み８が横方向に延びているので、サッシ枠５の上枠５ａの上縁を第二切込み８に合わせて配置することによって、該上枠５ａを開口部４回りの壁体３表面に容易に取付けることができる。また、第三切込み９が第二切込み８の端部から上方に延びているので、シート開口部２の上縁より上側のシート部分１２を広くめくり上げることができ、よって防水テープ６をサッシ枠５の上枠５ａと壁体３の表面に亘って貼着する際の、壁体３表面の貼着領域を広く確保できる。
【０００９】
請求項３記載の発明は請求項１または２記載の防水透湿シートＡにおいて、前記シート本体１には、複数のシート開口部２が形成されており、各シート開口部２に前記切込み１３が形成されていることを特徴としている。
【００１０】
請求項３の防水透湿シートＡによれば、防水透湿シートＡを取付けるべき壁体３に、複数の開口部４が形成されている場合においても、各開口部４に対応してシート開口部２が形成されているので、一枚の防水透湿シートＡによって、複数の開口部４が形成された壁体３に対応できる。
【００１１】
請求項４の発明は請求項１〜３のいずれかに記載の防水透湿シートＡを矩形の開口部４が形成された壁体３に取付ける防水透湿シートＡの取付け方法であって、前記防水透湿シートＡを、この防水透湿シートＡのシート開口部２を前記壁体３の開口部４に合わせたうえで、該壁体３の表面に取付け、次に，前記シート開口部２の上縁より上側のシート部分１２をめくり上げたうえで、サッシ枠５を壁体３の開口部４に取付け、次に，前記シート部分１２を前記サッシ枠５の上枠５ａに被せて、該上枠５ａに貼着することを特徴としている。
【００１２】
請求項４の防水透湿シートＡの取付け方法によれば、前記防水透湿シートＡを、この防水透湿シートＡのシート開口部２を前記壁体３の開口部４に合わせた上で、該壁体３の表面に取付ける際に、シート開口部２の上縁の角部に歪みが生じることがないので、ここから防水透湿シートＡに皺が発生するのを防止できる。そして，前記シート開口部２の上縁より上側のシート部分１２をめくり上げたうえで、サッシ枠５の上枠５ａに被せて、該上枠５ａに貼着するので、サッシ枠５の上枠５ａに、確実に防水処理を施すことができる。
【００１３】
請求項５の発明は請求項４記載の防水透湿シートＡの取付け方法において、前記シート開口部２の上縁より上側のシート部分１２をめくり上げたうえで、サッシ枠５を壁体３の開口部４に取付けた後、前記サッシ枠５の少なくとも上枠５ａと前記壁体３の表面とに亘って、防水テープ６を貼着し、次に、前記シート部分１２を前記サッシ枠５の上枠５ａに前記防水テープ６上から被せて、防水テープ６を介して該上枠５ａに貼着することを特徴としている。
【００１４】
請求項５の防水透湿シートＡの取付け方法によれば、前記シート開口部２の上縁より上側のシート部分１２をめくり上げたうえで、サッシ枠５を壁体３の開口部４に取付けた後、前記サッシ枠５の少なくとも上枠５ａと前記壁体３の表面とに亘って、防水テープ６を貼着するので、サッシ枠５の上枠５ａを壁体３の表面に防水された状態で取付けることができる。そして、前記シート部分１２を前記サッシ枠５の上枠５ａに前記防水テープ６上から被せて、防水テープ６を介して該上枠５ａに貼着するので、サッシ枠５の上枠５ａに、より確実に防水処理を施すことができる。
【００１５】
【発明の実施の形態】
以下図面を参照して、本発明の防水透湿シートＡおよび防水透湿シートＡの取付け方法の実施の形態について説明する。
（第一の実施の形態）
図１は矩形の開口部４を備えた壁体３と該壁体３に貼り付けられる該開口部３と同じ大きさのシート開口部２を備えたシート本体１の斜視図である。図２（a）は本発明の防水透湿シートＡの一例を示すもので、その正面図、図２（b）〜図２（f）は、防水透湿シートＡを壁体３に貼り付けていく工程を示す要部の図である。
【００１６】
前記壁体３は、パネル工法で使用される壁パネルであり、開口部４は図１に示すように、壁体３の中央部に矩形に形成されている。また、前記壁体３の開口部４は前記サッシ枠５が嵌め込まれて取付けられるように、所定の寸法に形成されている。
【００１７】
前記透湿防水シートＡは例えばタイベック（商品名：デュポン社製）等からなり、薄くて軽量で防水性や通気性を有している部材であり、シート本体１とシート開口部２とを備えている。
前記シート本体１は、前記壁体３の表面を覆うように貼り付けられるものであり、壁体３の表面とほぼ同じか若干大きめに形成されている。前記シート開口部２は、壁体３の開口部４とほぼ同じ大きさに形成された開口であり、その上縁の二つの角部から延びる切込み１３がシート本体１に形成されている。
この切込み１３は、前記角部から上方向に延びる第一切込み７と、この第一切込み７の端部から横方向に延びる第二切込み８と、この第二切込み８の端部から上方向に延びる第三切込み９とで構成されている。これらの切込み１３の切込み量は第一の実施の形態に示す通常の防水納まり（開口部４が壁体３の比較的中央に位置し、かつ周辺に他の開口部４が隣接していない状態）の場合、第一切込み７が１０ｍｍ、第二切込み８が１２０ｍｍ、第三切込み９が８５ｍｍに形成されている。
【００１８】
前記サッシ枠５は前記壁体３の開口部４の外側から嵌め込まれる構造とされている。また、前記サッシ枠５には壁体３に固定されるためのビス孔が所定間隔で数箇所に設けられている。そして、前記サッシ枠５の前記壁体３の開口部４に重なる部分、つまり、該サッシ枠５の縁は平滑な平面に形成されている。また、この平面上に前記ビス孔が設けられている。この平面部は防水テープ６が前記壁体３に亘って、貼設される部分なので、該壁体３との段差を小さくするために、なるべく薄く形成されている。
【００１９】
前記防水テープ６は片側に粘着力を備えており、所定の幅に帯状に形成されている。また、前記防水テープ６はアルミニウム材や木製の壁体３、あるいは前記防水透湿シートＡ等、あらゆる素材に接着することができ、丈夫で剥がれにくいように形成されている。
【００２０】
次に、上記構成の防水透湿シートＡを壁体３に取付ける取付け方法について説明する。まず、図２(b)に示すように、前記壁体３に前記透湿防水シートＡを被せて、前記壁体３の開口部４の縁と該防水透湿シートＡのシート開口部２の縁とをずれないように合わせたうえで、該防水透湿シートＡを壁体３の表面に、ステープル、接着剤などによって貼り付ける。
次に、図２(c)に示すように、前記シート開口部２の上縁より上側のシート部分１２をめくり上げたうえで、サッシ枠５を壁体３の開口部４に取付ける。この場合、前記サッシ枠５を前記壁体３の開口部４に嵌め込んでさらに、ビスを用いて固定し、取付ける。
【００２１】
次に、図２(d)に示すように、前記防水テープ６を前記サッシ枠５の縦枠５ｂと前記防水透湿シートＡの両方に亘らせて前記開口部４の縁に貼設する。次に、前記シート部分１２がめくり上げられることで、露出した壁体３の表面に、防水テープ６を前記サッシ枠５の上枠５ａと前記壁体３の両方に亘らせて横に貼設する。この際、前記壁体３、タイベック面のほこり、および、サッシ面の油分をふき取り、十分に押さえつけて、貼設していく。また、図２（d）に示すように、横方向に貼られた防水テープ６が縦方向に貼られた防水テープ６より１０ｍｍ程飛び出すように施工する。
次に、図２(e)に示すように、上にめくり上げておいた前記シート部分１２をめくり下げて、接着剤等を使用して横方向の防水テープ６に貼り付ける。最後に図２（ｄ）に示すように、前記防水透湿シートＡの前記壁体３の開口部４の上部に存在するカット部分、すなわち、前記第二切込み８の端部および第三切込み９に強力粘着防水テープ１０を貼着する。
【００２２】
本実施の形態の防水透湿シートＡおよび防水透湿シートＡの取付け方法によれば以下のような効果が得られる。
前記シート本体１には、前記シート開口部２の上縁の二つの角部から延びて、シート開口部２の上縁より上側のシート部分１２をめくり上げ可能とする切込み１３が形成されているので、シート開口部２の左右の縁と、めくり上げ可能なシート部分１２の下縁とが切断されることになり、この結果、前記角部がシート開口部２の左右の縁とめくり上げ可能なシート部分１２の下縁とによって拘束されることがなくなる。
したがって、シート開口部２を壁体３の開口部４に合わせるようにして、防水透湿シートＡを壁体３の表面に取付ける際において、シート開口部２の上縁の角部に歪みが生じることがないので、ここから防水透湿シートＡに皺が発生するのを防止できる。したがって、開口部４が形成された壁体３の表面に、防水透湿シートＡをも正確に貼着することができる。
【００２３】
また、第一切込み７が角部から上方に延び、この第一切込み７の上端から第二切込み８が横方向に延びているので、サッシ枠５の上枠５ａの上縁を第二切込み８に合わせて配置することによって、該上枠５ａを開口部４回りの壁体３表面に容易に取付けることができる。
また、第三切込み９が第二切込み８の端部から上方に延びているので、シート開口部２の上縁より上側のシート部分１２を広くめくり上げることができ、よって防水テープ６をサッシ枠５の上枠５ａと壁体３の表面に亘って貼着する際の、壁体３表面の貼着領域を広く確保できる。
【００２４】
また、前記シート開口部２の上縁より上側のシート部分１２をめくり上げたうえで、サッシ枠５を壁体３の開口部４に取付けた後、前記サッシ枠５の上枠５ａと前記壁体４の表面とに亘って、防水テープ６を貼着するので、サッシ枠５の上枠５ａを壁体３の表面に防水された状態で取付けることができる。そして、前記シート部分１２を前記サッシ枠５の上枠５ａに前記防水テープ６上から被せて該上枠５ａに貼着するので、サッシ枠５の上枠５ａに、より確実に防水処理を施すことができる。また、前記サッシ枠５と前記防水透湿シートＡに亘って防水テープ６が貼着されることから、完璧な防水処理を施すことができる。
【００２５】
なお、前記第二切込み８および前記第三切込み９の切込み量を調整することによって、めくり上げるシートの面積を調整して十分に取り、前記壁体３への防水テープ６の貼着をよりいっそう容易にすることもできる。
【００２６】
（第二の実施の形態）
図３は、本発明の第二の実施の形態を示すものである。本実施の形態が、第一の実施の形態と異なる点は、壁体３に形成された開口部４の一辺が壁体３の縁に隣接している場合に前記防水透湿シートＡを取付ける点であるので、この点について説明し、第一の実施の形態と同様の部分は同一符号を付してその説明を省略する。
本実施の形態の防水透湿シートＡでは、シート開口部２の上縁の二つの角部のうち左側の角部から第一切込み７が上方に延び、この第一切込み７の端部から第二切込み８が横方向に延びて、シート本体１の左縁まで達している。
図３(b)〜図３(c)に示すように、前記サッシ枠５を取付ける過程までは、第一の実施の形態と同様であるが、図３(d)に示すように、前記壁体３の開口部４の上部に貼設する横枠防水テープ６を前記壁体３の端部まで延在させて、貼設する。この場合の前記防水透湿シートＡの切込み量は、第一切込み７が１０ｍｍ、第二切込８みが前記壁体３の端部まで延在するように切り込まれている。そして、図３(e)に示すように、前記透湿防水シートＡを貼下げる。さらに、図３(f)に示すように、縦枠に貼着した前記防水テープ６に亘るようにして、前記壁体３同士の継ぎ目の防水のために貼着するジョイントテープ１１を施工する。
【００２７】
本実施の形態によれば、第一実施の形態と同様の効果を得ることができる他、サッシ枠５の縦枠に貼着した前記防水テープ６に亘るようにして、前記壁体３同士の継ぎ目の防水のために貼着するジョイントテープ１１を施工するので、壁体３の開口部４が壁体３の縁に寄っていた場合にも、サッシ枠まわりの防水施工を確実に行うことができる。
【００２８】
（第三の実施の形態）
図４は、本発明の第三の実施の形態を示すものである。本実施の形態が、第一および第二の実施の形態と異なる点は、壁体に大小二つの開口部が形成されており、これに伴って防水透湿シートＡに、大小二つのシート開口部２,２ａが形成されている点であるので、この点について説明し、第一および第二の実施の形態と同様の部分は同一符号を付してその説明を省略する。
本実施の形態の防水透湿シートＡでは、大小二つのシート開口部２,２ａが左右に隣接して形成されている。大きい方のシート開口部２は、第二実施の形態と同様の構成である。小さい方のシート開口部２ａは、その上縁の二つの角部のうち右側の角部からは、前記第一切込み７、第二切込み８、第三切込み９が延びており、左側の角部からは、前記第一切込み７、第二切込み８ａ、第三切込み９が延びている。つまり、シート開口部２ａがシート開口部２に近接しているため、第二切込み８に代えて、これより短い第二切込み８ａが形成されている。
【００２９】
図４(b)〜図４(d)に示すように、前記防水テープ６を貼着する過程までは第一および第二の実施の形態と同様である。この場合の前記防水透湿シートＡの切込み量は第一切込み７が１０ｍｍ、第二切込み８が４５ｍｍ、第三切込み９が８５ｍｍである。しかし、図４(ｄ)に示すように、前記防水透湿シートＡの横方向への切込み１３（第二切込み８ａ）が少ないので、めくり上げた前記防水透湿シートＡのシート部分１２を貼下げると該防水透湿シートＡの端部が前記防水テープ６上に重なる。そこで、図４(f)に示す○部分は図４(a)に示す左部に隣接するシート開口部２に沿って貼着される前記防水テープ６で覆う。
【００３０】
本実施の形態によれば、前記第一および第二の同様の効果を得ることができる他、防水透湿シートＡを取付けるべき壁体３に、二つの開口部が形成されている場合においても、各開口部に対応してシート開口部２,２ａが形成されているので、一枚の防水透湿シートＡによって、二つの開口部が形成された壁体に対応できる。特に、二つの開口部４が隣接して設けられている場合でも、対応できる。
【００３１】
【発明の効果】
以上説明したように、本発明の請求項１の発明によれば、シート本体には、シート開口部の上縁の二つの角部から延びて、シート開口部の上縁より上側のシート部分をめくり上げ可能とする切込みが形成されているので、前記角部がシート開口部の左右の縁とめくり上げ可能なシート部分の下縁とによって拘束されることがなくなる。したがって、シート開口部の上縁の角部に歪みが生じることがないので、ここから防水透湿シートに皺が発生するのを防止できる。
【００３２】
請求項２の発明によれば、請求項１と同様の効果を得ることができるのは勿論のこと、第一切込みが角部から上方に延び、この第一切込みの上端から第二切込みが横方向に延びているので、サッシ枠の上枠の上縁を第二切込みに合わせて配置することによって、該上枠を開口部回りの壁体表面に容易に取付けることができる。また、第三切込みが第二切込みの端部から上方に延びているので、防水テープをサッシ枠の上枠と壁体の表面に亘って貼着する際の、壁体表面の貼着領域を広く確保できる。
【００３３】
請求項３の発明によれば、請求項１または２と同様の効果を得ることができるのは勿論のこと、防水透湿シートを取付けるべき壁体に、複数の開口部が形成されている場合においても、一枚の防水透湿シートによって、複数の開口部が形成された壁体に対応できる。
【００３４】
請求項４の発明によれば、シート開口部の上縁の角部に歪みが生じることがないので、ここから防水透湿シートに皺が発生するのを防止できる。そして，前記シート開口部の上縁より上側のシート部分をサッシ枠の上枠に貼着するので、サッシ枠の上枠に、確実に防水処理を施すことができる。
【００３５】
請求項５の発明によれば、前記サッシ枠の少なくとも上枠と前記壁体の表面とに亘って、防水テープを貼着するので、サッシ枠の上枠を壁体の表面に防水された状態で取付けることができる。そして、前記シート部分を前記サッシ枠の上枠に前記防水テープ上から被せて該上枠に貼着するので、サッシ枠の上枠に、より確実に防水処理を施すことができる。
【図面の簡単な説明】
【図１】本発明の防水透湿シートの一例を壁体とともに示すもので、その斜視図である。
【図２】本発明の第一実施の形態の防水透湿シートの取付け方法を説明するための図である。
【図３】本発明の第二実施の形態の防水透湿シートの取付け方法を説明するための図である。
【図４】本発明の第三実施の形態の防水透湿シートの取付け方法を説明するための図である。
【符号の説明】
Ａ  防水透湿シート
１  シート本体
２  シート開口部
３  壁体
４  開口部
５  サッシ枠
５ａ  上枠
６  防水テープ
７  第一切込み
８  第二切込み
９  第三切込み
１２  シート部分
１３  切込み
【図１】
0004302327.tif 000002
【図２】
0004302327.tif 000003
【図３】
0004302327.tif 000004
【図４】
0004302327.tif 000005